(57)【要約】【課題】防水性を備えつつも、被収容物の視認や被収容物の出し入れが容易なポーチを提供する。【解決手段】柔軟なゴム状素材（例えばシリコーンゴムなど）よりなるポーチ１０において、平坦な底面部１６とその底面部１６の周縁部１６ａから立ち上がる側壁部１８とを有する容器状成形体１２を一体的に成形するとともに、側壁部１８の上端部１８ａの周方向に沿って容器状成形体１２の上端の開口部２０を閉塞するファスナー１４を設け、底面部１６において安定して自立するようにした。また、底面部１６を側壁部１８よりも肉厚に形成することにより、重心を低くして安定性をさらに高めた。【選択図】図１
2020065762.tif 000002
【特許請求の範囲】
【請求項１】
平坦な底面部と、前記底面部の周縁部から立ち上がる側壁部と、を有し、前記底面部及び側壁部が柔軟なゴム状素材によって一体的に成形されてなる容器状成形体と、
前記容器状成形体の上端に取り付けられ、前記側壁部の第１側部と、前記第１側部と対向する前記側壁部の第２側部とを近接させるように弾性変形させることで前記容器状成形体の上端の開口部を閉じる閉塞部材と、
を備えたポーチ。
【請求項２】
請求項１記載のポーチであって、前記底面部が前記側壁部よりも硬く形成されているポーチ。
【請求項３】
請求項１又は２記載のポーチであって、前記底面部が前記側壁部よりも肉厚に成形されてなるポーチ。
【請求項４】
請求項１〜３のいずれか１項に記載のポーチであって、前記容器状成形体の重心位置が前記側壁部の高さ方向の中央よりも前記底面部に近接してなるポーチ。
【請求項５】
請求項１〜４のいずれか１項に記載のポーチであって、前記側壁部には、前記容器状成形体の上端の開口部を開口させる方向に付勢する開口部付勢手段を備えたポーチ。
【請求項６】
請求項５記載のポーチであって、前記開口部付勢手段は、下端から上端に向けて外方に広がるように傾斜して形成された前記側壁部よりなるポーチ。
【請求項７】
請求項５記載のポーチであって、前記開口部付勢手段は、前記側壁部に装着された弾性部材よりなるポーチ。
【請求項８】
請求項１〜７のいずれか１項に記載のポーチであって、前記底面部は所定方向に長く形成され、前記第１側部は前記底面部の長手方向の一方の側部に延在し、前記第２側部は前記底面部の長手方向の他方の側部に延在するポーチ。
【請求項９】
請求項１〜８のいずれか１項に記載のポーチであって、前記ゴム状素材はシリコーンゴムであるポーチ。
【請求項１０】
請求項１〜９のいずれか１項に記載のポーチであって、前記閉塞部材は、面ファスナー又は線ファスナーであるポーチ。
【請求項１１】
請求項１〜９のいずれか１項に記載のポーチであって、前記閉塞部材は、前記側壁部の一方の側部上端付近に形成された突起部と、前記突起部に対向する前記側壁部の他方の側部上端付近に形成され、前記突起部と係合可能な凹部と、により構成されるポーチ。
【請求項１２】
請求項１１記載のポーチであって、前記突起部及び前記凹部の下方の前記側壁部に、それぞれ把持用開口部が形成されているポーチ。
【請求項１３】
請求項１２記載のポーチであって、前記把持用開口部の間の前記側壁部にＶ字型の切欠部が設けられているポーチ。
【発明の詳細な説明】
【技術分野】
【０００１】
本発明は、化粧品や文房具などの小物類を収納して持ち運ぶためのポーチに関する。
【背景技術】
【０００２】
従来より、防水性を発揮するべく、シリコーン樹脂シートを縫製してなるバッグなどが提案されている。
【０００３】
例えば、特許文献１には、シリコーン材よりなるシート体を袋状に縫製してなるシリコーン縫製ポーチが開示されている。このシリコーン縫製ポーチは、シリコーン樹脂シートを底辺で折り返すとともに、側辺部を縫合して袋体を形成し、その上端の開口部にファスナーを縫合した構造となっている。
【先行技術文献】
【特許文献】
【０００４】
【特許文献１】実用新案登録第３１７４７８６号公報
【発明の概要】
【発明が解決しようとする課題】
【０００５】
しかしながら、上記のポーチでは、本体のみで自立することができない。そのため、内部に収容した被収容物を視認したり、被収容物を取り出したりする際に、その都度、本体を保持して開口部を開ける操作が必要であり、煩雑になるといった問題がある。
【０００６】
本発明は、防水性を備えつつも、被収容物の視認や被収容物の出し入れが容易なポーチを提供することを目的とする。
【課題を解決するための手段】
【０００７】
本発明の一観点は、平坦な底面部と、前記底面部の周縁部から立ち上がる側壁部と、を有し、前記底面部及び側壁部が柔軟なゴム状素材によって一体的に成形されてなる容器状成形体と、前記容器状成形体の上端に取り付けられ、前記側壁部の第１側部と、前記第１側部と対向する前記側壁部の第２側部とを近接させるように弾性変形させることで前記容器状成形体の上端の開口部を閉じる閉塞部材と、を備えたポーチにある。
【発明の効果】
【０００８】
上記観点のポーチによれば、本体が柔軟なゴム状素材によってカップ状に継ぎ目なく一体的に成形されているので、汚れや水に強い。また、本体に平坦な底面部を有するため、ポーチ自体がファスナーを開けた状態で自立できるため、被収容物を容易に取り出すことができる。
【図面の簡単な説明】
【０００９】
【図１】第１実施形態に係るポーチを示す斜視図であり、ファスナーを閉じた状態を示す斜視図である。
【図２】図１のポーチの本体を構成する容器状成形体の平面図である。
【図３】図２のＩＩＩ−ＩＩＩ線に沿った断面図である。
【図４】図２のＩＶ−ＩＶ線に沿った断面図である。
【図５】図１のポーチのファスナーを開いた状態で示す斜視図である。
【図６】第２実施形態に係るポーチを、ファスナーを開いた状態で示す斜視図である。
【図７】第３実施形態に係るポーチの断面図である。
【図８】第４実施形態に係るポーチの斜視図である。
【図９】図９Ａは第５実施形態に係るポーチの斜視図であり、図９Ｂは図９Ａのポーチの閉塞部材を開いた状態の斜視図である。
【発明を実施するための形態】
【００１０】
以下、本発明の好適な実施形態を挙げ、添付の図面を参照して詳細に説明する。なお、図面の寸法比率は、説明の都合上、誇張されて実際の比率とは異なる場合がある。また、以下の説明において、底面部が位置する側を「下側」と呼び、その側壁部の端が位置する側を「上側」とよぶ。
【００１１】
（第１実施形態）
図１に示すように、本実施形態のポーチ１０は、例えばシリコーンゴムなどのゴム状素材によって一体的に形成された容器状成形体１２と、その容器状成形体１２の上端の開口部を閉塞するためのファスナー１４とを備えている。
【００１２】
容器状成形体１２は、平坦な底面部１６と、底面部１６の周縁部１６ａから立ち上がるようにして形成された側壁部１８とを備えている。底面部１６は、図の矢印Ｘ−Ｙ方向に沿った平面として平坦に形成されている。底面部１６は、矢印Ｙ方向（長手方向）に長く、矢印Ｘ方向（幅方向）に短く形成されている。底面部１６の長手方向の一端１６ｂ及び他端１６ｃは例えば半円状に形成されている。
【００１３】
側壁部１８は、底面部１６の周縁部１６ａから矢印Ｚ方向側（上側）に立ち上がって形成されている。側壁部１８は、底面部１６の長手方向の一端１６ｂから延び出た一端部１８ｂと長手方向の他端１６ｃから延び出た他端部１８ｃと、底面部１６の長手方向の一方の側辺から延び出た第１側部１８ｄと、他方の側辺から延び出た第２側部１８ｅとを備える。一端部１８ｂ、他端部１８ｃ、第１側部１８ｄ及び第２側部１８ｅは、一体的につながった筒状に形成されており、上端部１８ａに開口部２０（図２参照）が形成されている。
【００１４】
側壁部１８は、図２に示すように、その上端部１８ａが底面部１６の周縁部１６ａよりも外方に広がるように形成されている。すなわち、側壁部１８は上端側が下端側よりも外方に向かうように傾斜している。図４に示す側壁部１８の幅方向（Ｙ方向）の広がりが、図３に示す側壁部１８の長手方向（Ｘ方向）の広がりよりも大きく形成されている。その結果、図２に示すように、側壁部１８の上端は、底面部１６の周縁部１６ａよりも幅方向に膨らんだ楕円状となっている。
【００１５】
また、図３及び図４に示すように、容器状成形体１２は、側壁部１８の厚さよりも、底面部１６の厚さが大きくなっている。そのため、底面部１６は側壁部１８に比べて高い剛性を発揮して変形しにくくなっている。その一方で、側壁部１８は、底面部１６よりも薄いため、容易に変形可能に構成されている。そのため、上端部１８ａにおいて、図１に示すように第１側部１８ｄと第２側部１８ｅとが重なるように変形して開口部２０を閉塞可能に構成されている。また、底面部１６の肉厚が大きく形成されていることにより、容器状成形体１２の重心は、高さ方向（Ｚ方向）の中央よりも底面部１６に近い位置となるように構成されている。
【００１６】
容器状成形体１２の上端部１８ａには、その周方向に沿って閉塞部材を構成するファスナー１４が取り付けられている。ファスナー１４は、側壁部１８の一端部１８ｂと他端部１８ｃとの間に取り付けられている。ファスナー１４は、一対の布製のテープ２２と、それらのテープ２２に取り付けられた複数の歯状のエレメント２３と、それらのエレメント２３に沿って移動するスライダー２４とを備えている。スライダー２４を移動させることで、エレメント２３が噛み合い又は解除されることで、ファスナー１４が開閉する。ファスナー１４は、一方のテープ２２を側壁部１８の第１側部１８ｄの上端部１８ａに縫合し、他方のテープ２２を側壁部１８の第２側部１８ｅの上端部１８ａに縫合することで取り付けられる。
【００１７】
本実施形態のポーチ１０は以上のように構成され、以下その作用について説明する。
【００１８】
ポーチ１０は、容器状成形体１２の平面な底面部１６を、テーブルや洗面台などの平坦な部分に設置することで、図１に示すように自立した状態で載置することができる。底面部１６の厚みが大きく形成され変形しにくく、且つ重心位置が高さ方向の中央よりも底面部１６に近接しているため、倒れにくくなっている。
【００１９】
図５に示すように、ファスナー１４を開くと、ポーチ１０は、容器状成形体１２の側壁部１８が図２に示すような形状に戻ろうとする弾性的な復元力が作用する。その結果、第１側部１８ｄと第２側部１８ｅとが離間するように自然に変形する。これにより、ポーチ１０の上端部１８ａの開口部２０が大きく開いた状態に保たれる。このように、ポーチ１０の開口部２０が自然に開くため、内部に収容された化粧道具などの被収容物の視認や取り出しを容易に行える。
【００２０】
以上に説明した本実施形態のポーチ１０は、以下の効果を奏する。
【００２１】
ポーチ１０は、平坦な底面部１６と、底面部１６の周縁部１６ａから立ち上がる側壁部１８と、を有し、底面部１６及び側壁部１８が柔軟なゴム状素材によって一体的に成形されてなる容器状成形体１２と、容器状成形体１２の上端に取り付けられ、側壁部１８の第１側部１８ｄと、第１側部１８ｄと対向する側壁部１８の第２側部１８ｅとを近接させるように弾性変形させることで容器状成形体１２の上端の開口部２０を閉塞させる閉塞部材（ファスナー１４）と、を有している。このように、容器状成形体１２をゴム状素材によって一体的に成形することで、防水性がさらに高まる。閉塞部材（ファスナー１４）を開くと、容器状成形体１２を構成するゴム状素材の弾性的な復元力によって開口部２０が自然と開くため、被収容物の視認や取り出しを容易に行える。
【００２２】
ポーチ１０において、底面部１６が側壁部１８よりも硬く形成されていてもよい。これにより、被収容物の重量で底部が変形するのを防ぐことができ、被収容物を収容した状態であっても、ポーチ１０をテーブルや洗面台などの上に自立させることが容易となる。
【００２３】
ポーチ１０において、底面部１６が側壁部１８よりも肉厚に成形されていてもよい。これにより、底面部１６の剛性が高まり、自立した状態から倒れにくくなる。
【００２４】
ポーチ１０において、容器状成形体１２の重心位置が側壁部１８の高さ方向の中央よりも底面部１６に近接していてもよい。これにより、ポーチ１０が自立した状態から倒れにくくなる。
【００２５】
ポーチ１０において、側壁部１８に容器状成形体１２の上端の開口部２０を開口させる方向に付勢する開口部付勢手段を設けてもよい。これにより、ポーチ１０を自立させた状態において、開口部２０が大きく開くため、被収容物の視認や取り出しが容易となる。
【００２６】
ポーチ１０において、開口部付勢手段は、下端から上端に向けて外方に広がるように傾斜して形成された側壁部１８としてもよい。側壁部１８の形状を外方に広がるように予め形付けられているため、側壁部１８自体の弾性的な復元力により、開口部２０を開口させるように付勢される。これにより、最も簡単な構成で、開口部２０を開いた状態とする開口部付勢手段を実現できる。
【００２７】
ポーチ１０において、底面部１６は所定方向に長く形成され、第１側部１８ｄは底面部１６の長手方向の一方の側部に延在し、第２側部１８ｅは底面部１６の長手方向の他方の側部に延在していてもよい。このような形状とすることにより、ポーチ１０を底面部１６の短手方向に薄いスリムな形状とすることができる。
【００２８】
ポーチ１０において、ゴム状素材は、シリコーンゴムであってもよい。これにより、水濡れや汚れに強く、柔らかい手触りのポーチ１０を実現できる。
【００２９】
ポーチ１０において、閉塞部材は、線ファスナー（ファスナー１４）又は面ファスナーであってもよい。
【００３０】
（第２実施形態）
図６に示すように、本実施形態のポーチ１０Ａは、ゴム状素材によって一体的に形成された容器状成形体１２Ａと、その容器状成形体１２Ａの上端の開口部２０を閉塞するためのファスナー１４とを備えている。ポーチ１０Ａは、図中の破線部に示すように、弾性部材２６ａ、２６ｂが、側壁部１８の第１側部１８ｄ及び第２側部１８ｅに設けられている。なお、ポーチ１０Ａにおいて、弾性部材２６ａ、２６ｂを除く部分は、基本的に図１のポーチ１０と同様であり、同様の部材には同一の符号を付してその詳細な説明は省略する。
【００３１】
弾性部材２６ａ、２６ｂは、ばね鋼などの金属によって形成された板ばねであり、長手方向に細長い帯状に形成されている。弾性部材２６ａ、２６ｂは、その厚み方向に弓状に形付けられており、弾性的な復元力により弓状の形に戻るように構成されている。弾性部材２６ａは、側壁部１８の第１側部１８ｄの表面に接着する方法や、第１側部１８ｄ内に埋め込む方法により第１側部１８ｄに取り付けられている。弾性部材２６ｂは、側壁部１８の第２側部１８ｅに取り付けられている。
【００３２】
以下、本実施形態のポーチ１０Ａの作用について説明する。
【００３３】
図示のように、ファスナー１４を開くと、第１側部１８ｄが弾性部材２６ａの作用下に、開口部２０の外側に向けて凸状に変形する。また、第２側部１８ｅも弾性部材２６ｂの作用下に、第１側部１８ｄとは逆方向に凸状に変形する。その結果、開口部２０が大きく開く。
【００３４】
本実施形態のポーチ１０Ａは、以下の効果を奏する。
【００３５】
本実施形態のポーチ１０Ａは、開口部付勢手段として、側壁部１８に装着された弾性部材２６ａ、２６ｂを備えている。これにより、開口部２０を開いた状態にすることができるため、被収容物の視認及び取り出しが容易となる。
【００３６】
（第３実施形態）
図７に示すように、第３実施形態に係る容器状成形体１２Ｂは、底面部１６Ｂの内部に補強板２８を備えている。なお、容器状成形体１２Ｂの底面部１６Ｂ以外の構成は図１のポーチ１０と同様である。
【００３７】
補強板２８は、底面部１６Ｂと略同じ平面形状に形成されており、底面部１６Ｂの内部に埋め込まれている。補強板２８は、例えば、鉄又はアルミなどの金属若しくは樹脂などよりなる板材であり、容器状成形体１２Ｂを構成するゴム状素材よりも硬質の材料よりなる。また、容器状成形体１２Ｂの重心位置を下げて倒れにくくするべく、補強板２８は、ゴム状素材よりも密度の高い材料を用いて形成すると好適である。
【００３８】
本実施形態のポーチ１０Ｂは、底面部１６Ｂに補強板２８を備えることにより、底面部１６Ｂの形状が安定し、被収容物の重量によって変形しにくくなっている。これにより、さらに安定した状態でテーブルや洗面台などの上にポーチ１０Ｂを自立させることができる。
【００３９】
また、補強板２８に、容器状成形体１２Ｂを構成するゴム状素材よりも密度の高い材料を用いる場合には、ポーチ１０Ｂの重心位置をさらに低くすることができ、より一層倒れにくいポーチ１０Ｂを実現できる。
【００４０】
（第４実施形態）
図８に示すように、第４実施形態に係るポーチ１０Ｃは、容器状成形体１２の上端部１８ａに、ファスナー１４に代えて、マグネット３０を設けている。マグネット３０は、第１側部１８ｄの中央部と第２側部１８ｅの中央部とにそれぞれ１つ装着されている。マグネット３０を所定距離よりも接近させると、２つのマグネット３０が第１側部１８ｄ及び第２側部１８ｅの弾性復元力に抗して吸着してポーチ１０Ｃの上端の開口部２０を閉塞する。
【００４１】
以上のように、本実施形態のポーチ１０Ｃによっても、容器状成形体１２の開口部２０を閉塞できる。なお、マグネット３０に代えて、ボタン式のフックなどを用いることもできる。
【００４２】
（第５実施形態）
図９Ａ及び図９Ｂに示すように、第５実施形態に係るポーチ１０Ｄは、底面部１６から延び出た側壁部１８を有する容器状成形体１２Ｃを備えている。底面部１６は、一端部１８ｂ及び他端部１８ｃ方向に細長く形成されるとともに、一端部１８ｂ及び他端部１８ｃ付近で丸みを帯びた形状に形成されている。側壁部１８は、下端部が底面部１６と一体的に繋がるとともに、その上端側が底面部１６の周縁部１６ａから外方に広がって形成されている。側壁部１８の第１側部１８ｄの上端部１８ａ付近及び第２側部１８ｅの上端部１８ａ付近には、それぞれ把持部３２が設けられており、それらの把持部３２の下には、把持部３２を手で握る際に指を通すための把持用開口部３４が形成されている。
【００４３】
把持部３２は、側壁部１８よりも肉厚に形成された部材であり、容器状成形体１２Ｃと同様の材料で側壁部１８と一体的に形成することができる。把持部３２は、容器状成形体１２Ｃと別途成形してなる部材を側壁部１８の第１側部１８ｄ及び第２側部１８ｅの上端部１８ａにそれぞれ装着してもよい。図９Ｂに示すように、第２側部１８ｅに設けられた把持部３２の内側面３２ａには、突起部３６ａと凹部３８ｂとが設けられている。また、第１側部１８ｄに設けられた把持部３２の内側面３２ａには、突起部３６ｂと凹部３８ａとが設けられている。一方の把持部３２の突起部３６ａ、３６ｂと他方の把持部３２の凹部３８ａ、３８ｂとは、互いに対向する位置に配置されている。
【００４４】
また、把持部３２及び把持用開口部３４が形成された第１側部１８ｄ及び第２側部１８ｅの間の部分である一端部１８ｂ及び他端部１８ｃには、容器状成形体１２Ｃの長手方向から見て略Ｖ字型の切欠部１８ｆが形成されている。
【００４５】
本実施形態のポーチ１０Ｄは以上のように構成され、以下その作用について説明する。
【００４６】
ポーチ１０Ｄは、図９Ａに示すように、第１側部１８ｄと第２側部１８ｅに形成された把持部３２の内側面３２ａ同士が当接するように重ね合わせると、図９Ｂに示す突起部３６ａが凹部３８ａに挿入され、突起部３６ｂが凹部３８ｂに挿入される。そして、突起部３６ａ、３６ｂと凹部３８ａ、３８ｂの摩擦力によって把持部３２が重ね合わされた状態に保たれる。すなわち、本実施形態において、突起部３６ａ、３６ｂ及び凹部３８ａ、３８ｂにより閉塞部材が構成され、容器状成形体１２Ｃの側壁部１８の上端部１８ａが弾性変形して閉じた状態に保たれる。
【００４７】
また、側壁部１８の一端部１８ｂ及び他端部１８ｃにＶ字状の切欠部１８ｆが設けられていることにより、側壁部１８の弾性復元力が弱められるため、閉塞部材による容器状成形体１２Ｃの閉塞状態の維持が容易となっている。そして、容器状成形体１２Ｃの閉塞状態では、把持用開口部３４に指を通すことで、把持部３２を容易に把持することができ、ポーチ１０Ｄの持ち運びが容易になる。
【００４８】
一方、突起部３６ａ、３６ｂと凹部３８ａ、３８ｂとを離脱させると、図９Ｂに示すように、側壁部１８が弾性復元力により、第１側部１８ｄと第２側部１８ｅとが開く方向に離間する。これにより、ポーチ１０Ｄは、容器状成形体１２Ｃが大きく開いた状態に保たれ、被収容物の出し入れが容易となっている。
【００４９】
本実施形態のポーチ１０Ｄは以下の効果を奏する。
【００５０】
ポーチ１０Ｄにおいて、閉塞部材は、第１側部１８ｄ又は第２側部１８ｅの上端部１８ａ付近に形成された突起部３６ａ、３６ｂと、突起部３６ａ、３６ｂに対向する第１側部１８ｄ又は第２側部１８ｅの上端部１８ａ付近に形成され、突起部３６ａ、３６ｂと係合可能な凹部３８ａ、３８ｂと、により構成される。これにより、簡素な構成の閉塞部材により、容器状成形体１２Ｃの上端を閉じることができる。
【００５１】
また、上記のポーチ１０Ｄにおいて、突起部３６ａ、３６ｂ及び凹部３８ａ、３８ｂは、側壁部１８よりも肉厚に形成された把持部３２の内側面３２ａに形成されていてもよい。このように、肉厚の把持部３２を設けることにより、ポーチ１０Ｄを手で持ちやすくなる。
【００５２】
さらに、上記のポーチ１０Ｄにおいて、前記突起部３６ａ、３６ｂ及び前記凹部３８ａ、３８ｂの下方の前記側壁部１８に、それぞれ把持用開口部３４が形成されていてもよい。把持用開口部３４に指を通して持つことができるので、ポーチ１０Ｄの持ち運びがさらに容易になる。
【００５３】
また、ポーチ１０Ｄにおいて、把持用開口部３４の間の側壁部１８にＶ字型の切欠部１８ｆが設けられていてもよい。これにより、閉塞部材を閉じる際の側壁部１８の弾性復元力を弱めることができ、簡易な構成の閉塞部材であっても、容器状成形体１２Ｃを閉じた状態に保つことができる。
【００５４】
上記において、本発明について好適な諸実施形態を挙げて説明したが、本発明は上記実施形態に限定されるものではなく、本発明の趣旨を逸脱しない範囲において、種々の改変が可能なことは言うまでもない。
【符号の説明】
【００５５】
１０、１０Ａ、１０Ｂ、１０Ｃ、１０Ｄ…ポーチ
１２、１２Ａ、１２Ｂ、１２Ｃ…容器状成形体
１４…ファスナー                      １６、１６Ｂ…底面部
１８…側壁部                          ２０…開口部
２６ａ、２６ｂ…弾性部材              ２８…補強板
３０…マグネット                      ３４…把持用開口部
３６ａ、３６ｂ…突起部                ３８ａ、３８ｂ…凹部
【図１】
2020065762.tif 000003
【図２】
2020065762.tif 000004
【図３】
2020065762.tif 000005
【図４】
2020065762.tif 000006
【図５】
2020065762.tif 000007
【図６】
2020065762.tif 000008
【図７】
2020065762.tif 000009
【図８】
2020065762.tif 000010
【図９】
2020065762.tif 000011